(57)【要約】 【課題】  混合機へ所定の流量の液剤を確実に供給できるようにする。【解決手段】  所定流量の液剤（主剤Ａ，Ｂ、硬化剤ａ，ｂ）を吐出する定量供給手段１０Ａ，１０Ｂ，１０ａ，１０ｂに接続されたホース１５Ａ，１５Ｂ，１５ａ，１５ｂと混合機２８との間に、ホース内と混合機とを連通させる連通状態と、その連通を遮断する遮断状態との間での任意の切換えを可能とされた方向制御弁３０Ａ，３０Ｂ，３０ａ，３０ｂを設けた。液剤の供給時には、連通状態に切り換えておけば、液剤の吐出圧力によるホース１５Ａ，１５Ｂ，１５ａ，１５ｂの拡径変形が回避され、混合機２８に送り込まれる液剤の流量が定量供給手段１０Ａ，１０Ｂ，１０ａ，１０ｂからの吐出量を下回ることがない。【選択図】  図１
2005087947.tif 000002
【特許請求の範囲】
【請求項１】
液剤を所定流量ずつ吐出する複数の定量供給手段と、前記複数の定量供給手段の吐出口に接続された可撓性を有する複数のホースと、前記複数のホースを通して前記複数の定量供給手段から交互に又は順次に圧送された前記複数種類の液剤を混合して塗装ガンへ供給する混合機とを備えた塗装装置であって、
前記ホースの下流端と前記混合機との間には、前記ホース内と前記混合機とを連通させる連通状態と、前記ホース内と前記混合機との間の連通を遮断する遮断状態との間での任意の切換えを可能とされた切換手段が設けられていることを特徴とする塗装装置。
【請求項２】
前記定量供給手段と前記ホースの上流端との間には、前記定量供給手段側から前記ホース側への液剤の通過のみを許容する逆止弁が設けられていることを特徴とする請求項１記載の塗装装置。
【請求項３】
前記切換手段が、前記ホースの接続を可能された複数の流入口と前記混合機に接続された１つの流出口とを有する方向制御弁とされていることを特徴とする請求項１又は請求項２記載の塗装装置。
【請求項４】
前記方向制御弁の前記流入口には、洗浄液を供給するための洗浄液供給手段が接続されていることを特徴とする請求項３記載の塗装装置。
【発明の詳細な説明】
【技術分野】
【０００１】
本発明は、複数の液剤を混合して吐出する塗装装置に関するものである。
【背景技術】
【０００２】
例えば、別個に貯留されている主剤と硬化剤を交互に混合機へ供給し、混合機で混合した状態で塗装ガンから塗料として吐出する塗装装置においては、主剤と硬化剤とを所定の混合比に保つため、主剤と硬化剤の供給経路の途中に、夫々、流量計が設けられている。
【０００３】
このような塗装装置では、主剤と硬化剤が混合されると、その直後に塗料の硬化が開始することから、混合機は塗装ブース内の塗装ガンと一体に設けられる。一方、流量計については、塗装ガンの軽量化を図るために、塗装ガンとは別の位置に配置される。この場合、流量計と塗装ガンとの間は、塗装ガンの動きを妨げないようにするために可撓性を有するホースで接続される。
【０００４】
尚、２つの液剤を混合して吐出する塗装装置としては、特許文献１に開示されているものがある。
【特許文献１】特開２００３−３９０１７公報
【発明の開示】
【発明が解決しようとする課題】
【０００５】
上記従来の塗装装置の場合、各ホースの下流端と混合機の流入部との接続部分には、混合済みの塗料が主剤側のホース又は硬化剤側のホースへ逆流するのを防ぐ必要があることから、逆流防止手段として逆止弁が設けられていた。
【０００６】
ところが、流量計からホースへ主剤又は硬化剤を圧送したときには、ホース内の圧力が逆止弁のクラッキング圧（逆止弁を開弁させるための最低圧力）を越えるまでホースが拡径変形することになる。そのため、逆止弁を通過する主剤又は硬化剤の流量が流量計からの圧送流量を下回ったり、主剤又は硬化剤の流量が少ない場合には逆止弁が開かないままになったりし、その結果、主剤と硬化剤を所定の混合比で混合することができなくなるという問題があった。
【０００７】
本発明は上記のような事情に基づいて完成されたものであって、混合機へ所定の流量の液剤を確実に供給できるようにすることを目的とする。
【課題を解決するための手段】
【０００８】
上記の目的を達成するための手段として、請求項１の発明は、液剤を所定流量ずつ吐出する複数の定量供給手段と、前記複数の定量供給手段の吐出口に接続された可撓性を有する複数のホースと、前記複数のホースを通して前記複数の定量供給手段から交互に又は順次に圧送された前記複数種類の液剤を混合して塗装ガンへ供給する混合機とを備えた塗装装置であって、前記ホースの下流端と前記混合機との間には、前記ホース内と前記混合機とを連通させる連通状態と、前記ホース内と前記混合機との間の連通を遮断する遮断状態との間での任意の切換えを可能とされた切換手段が設けられている構成とした。
【０００９】
請求項２の発明は、請求項１に記載のものにおいて、前記定量供給手段と前記ホースの上流端との間には、前記定量供給手段側から前記ホース側への液剤の通過のみを許容する逆止弁が設けられているところに特徴を有する。
【００１０】
請求項３の発明は、請求項１または請求項２に記載のものにおいて、前記切換手段が、前記ホースの接続を可能された複数の流入口と前記混合機に接続された１つの流出口とを有する方向制御弁とされているところに特徴を有する。
【００１１】
請求項４の発明は、請求項３に記載のものにおいて、前記方向制御弁の前記流入口には、洗浄液を供給するための洗浄液供給手段が接続されているところに特徴を有する。
【発明の効果】
【００１２】
＜請求項１の発明＞
複数種類のうち所定の液剤を混合機に供給する際には、その液剤の流路となるホースに接続されている切換手段を連通状態にするとともに、他の液剤の流路となるホースに接続されている切換手段を遮断状態にしておく。この状態で定量供給手段から吐出された上記液剤は、ホースと切換手段を順に通り、混合機内に送り込まれる。このとき、ホース内と混合機との間は液剤が円滑に流通可能な状態に連通されているので、液剤の吐出圧力によってホースが拡径変形することがない。したがって、混合機に送り込まれる液剤の流量が定量供給手段からの吐出量を下回ることがなく、複数の液剤を所定の比率で確実に混合させることができる。また、所定流量の液剤が混合機へ送り込まれた後は、切換手段を遮断状態に切り換えることによって、混合機からホースへの逆流が防止される。
【００１３】
＜請求項２の発明＞
逆止弁を設けたことにより、ホース内の液剤が定量供給手段側へ逆流することが防止される。
【００１４】
＜請求項３の発明＞
方向制御弁には複数のホースを接続することが可能なので、１つの方向制御弁によって複数の液剤を混合機へ供給することができる。
【００１５】
＜請求項４の発明＞
１つの方向制御弁には複数の液剤が流通するが、流通させる液剤を切り替える際には方向制御弁に洗浄液を流して洗浄することにより、異種の液剤が混じりあうことを防止することができる。また、洗浄対象を、液剤の流通経路の全体ではなく、複数種の液剤の流路が合流する方向制御弁よりも下流側のみとしたので、洗浄に伴なって廃棄される液剤の量、及び洗浄液の量を少なく抑えることができる。
【発明を実施するための最良の形態】
【００１６】
＜実施形態１＞
以下、本発明を具体化した実施形態１を図１を参照して説明する。
【００１７】
本実施形態の塗装装置は、主剤Ａ又はＢ（本発明の構成要件である液剤）と硬化剤ａ又はｂ（本発明の構成要件である液剤）が、夫々、定量供給手段１０Ａ，１０Ｂ，１０ａ，１０ｂにより所定の流量ずつ可撓性を有するホース１５Ａ，１５Ｂ，１５ａ，１５ｂを通して交互に混合機２８へ圧送され、この混合機２８にて混合された主剤Ａ又はＢと硬化剤ａ又はｂが塗料として塗装ガン２９に供給されるようにしたものである。主剤Ａ，Ｂは２種類用意されており、塗装条件などに応じていずれか一方の主剤Ａ又はＢが塗装ガン２９に供給されるようになっている。硬化剤ａ，ｂも２種類用意され、主剤Ａ，Ｂと同様、塗装条件などに応じていずれか一方の硬化剤ａ又はｂが塗装ガン２９に供給されるようになっている。塗装ガン２９と混合機２８とは一体に移動できるように設けられ、定量供給手段１０Ａ，１０Ｂ，１０ａ，１０ｂは塗装ガン２９と混合機２８から離れた位置に設置されている。可撓性を有するホース１５Ａ，１５Ｂ，１５ａ，１５ｂを用いたのは、塗装ガン２９の動きを妨げないようにするためである。
【００１８】
一方の主剤Ａはタンク１６Ａに貯留されており、このタンク１６Ａには、途中にダイヤフラムポンプ１７Ａと圧力制御弁１８Ａとが介設された圧送路１９Ａの上流端が接続され、この圧送路１９Ａの下流端には定量供給手段１０Ａが接続されている。また、洗浄液用のタンク２０には、途中にダイヤフラムポンプ２１が介設された供給路２２の上流端が接続され、この供給路２２の下流端は定量供給手段１０Ａに接続されている。
【００１９】
洗浄液の供給路２２は、可撓性を有しているとともに、途中で６本に分岐しており、各供給路２２が、主剤Ａ用の方向切換弁１１Ａ、後述する主剤Ｂ用の方向切換弁１１Ｂ、後述する硬化剤ａ用の方向切換弁１１ａ、及び後述する硬化剤ｂ用の方向切換弁１１ｂ、主剤Ａ，Ｂ用の方向制御弁３０Ａ、硬化剤ａ，ｂ用の方向制御弁３０ａに接続されている。方向制御弁３０Ａ，３０ａに接続された２本の供給路２２と洗浄液のタンク２０及びダイヤフラムポンプ２１は、洗浄液を方向制御弁３０Ａ，３０ａに供給するための洗浄液供給手段２３を構成する。
【００２０】
また、エア圧送源２４には複数に分岐したエアホース２５の上流端が接続されており、そのうちの２本のエアホース２５の下流端が、夫々、ダイヤフラムポンプ１７Ａ，１７Ｂ，１７ａ，１７ｂ，２１と圧力制御弁１８Ａ，１８Ｂ，１８ａ，１８ｂとに接続されている。
【００２１】
主剤Ａ用の定量供給手段１０Ａは、２つの流入口と１つの吐出口とを有する方向切換弁１１Ａと、この方向切換弁１１Ａの吐出口に接続された流量計１２Ａとを備えて構成されている。一方の流入口には主剤Ａ用の圧送路１９Ａの下流端が接続され、他方の流入口には、洗浄液用の供給路２２の下流端が接続されている。この方向切換弁１１Ａは、３つのエアポート１３Ａのいずれかからパイロットエアが供給されることにより、主剤Ａの圧送路１９Ａを流量計１２Ａに連通させる状態と、洗浄液の供給路２２を流量計１２Ａに連通させる状態と、圧送路１９Ａと流量計１２Ａとの間及び供給路２２と流量計１２Ａとの間を遮断する状態との３つの態様に切り替わるようになっている。
【００２２】
流量計１２Ａの吐出口には、可撓性を有しない剛性の高いパイプからなる吐出管１４Ａが接続され、この吐出管１４Ａの途中に、ドレン用の手動式の三方弁２６Ａが接続されているとともに、吐出管１４Ａの下流端に逆止弁２７Ａの流入口が接続されている。さらに、逆止弁２７Ａの流出口には、可撓性を有するホース１５Ａの上流端が接続されている。逆止弁２７Ａは、吐出管１４Ａ側（流量計１２Ａ側）からホース１５Ａ側への液剤（主剤Ａ）の流通を許容するが、ホース１５Ａ側から吐出管１４Ａ側への流通を規制するようになっている。
【００２３】
ホース１５Ａの下流端には、ホース１５Ａ内と混合機２８とを連通させる連通状態と、ホース１５Ａ内と混合機２８との間の連通を遮断する遮断状態との間での任意の切換えを可能とされた切換手段としての方向制御弁３０Ａが接続されている。方向制御弁３０Ａは、混合機２８及び塗装ガン２９と一体に移動し得るように取り付けられている。
【００２４】
方向制御弁３０Ａは、４つの流入口と１つの流出口とを備えており、４つの流入口のうちの１つの流入口にホース１５Ａの下流端が接続されている。尚、これ以外の３つの流入口には、上記した洗浄液の供給路２２の下流端と、後述する主剤Ｂ用のホース１５Ｂの下流端と、上記したエアホース２５の下流端とが接続されている。かかる方向制御弁３０Ａは、４つのエアポート３１Ａのいずれかから圧送されるパイロットエアにより、４つのうちいずれか１つの流入口を流出口に連通させる状態と、全ての流入口と流出口との間を遮断する状態との間で任意に切り換えることができるようになっている。
【００２５】
また、方向制御弁３０Ａの流出口には、混合機２８の流入口が接続されている。混合機２８は、ブレミキサ２８ａとスタティックミキサ２８ｂとを順に配したものであり、方向制御弁３０Ａを通して交互に流入される主剤Ａ又はＢと硬化剤ａ又はｂを混合するようになっている。かかる混合機２８の流出口には塗装ガン２９が接続されている。
【００２６】
他方の主剤Ｂ用のタンク１６Ｂにも、主剤Ａと同様、途中にダイヤフラムポンプ１７Ｂと圧力制御弁１８Ｂとが介設された圧送路１９Ｂの上流端が接続され、この圧送路１９Ｂの下流端には定量供給手段１０Ｂが接続されている。この主剤Ｂ用の定量供給手段１０Ｂは、主剤Ａ用の定量供給手段１０Ａと同様の構成であるため、説明は省略し、符号についてはＡをＢに置き換えたものとする。この主剤Ｂ用の定量供給手段１０Ｂにも、主剤Ａと同様に、吐出管１４Ｂ、逆止弁２７Ｂ、可撓性を有するホース１５Ｂが接続され、ホース１５Ｂの下流端が、上記した主剤Ａ用の方向制御弁３０Ａの流入口に接続されている。
【００２７】
次に、硬化剤ａ，ｂの供給手段について説明する。一方の硬化剤ａは窒素密封式のタンク１６ａに貯留されており、このタンク１６ａには、主剤Ａと同様に、途中にダイヤフラムポンプ１７ａと圧力制御弁１８ａとが介設された圧送路１９ａの上流端が接続され、圧送路１９ａの下流端には定量供給手段１０ａが接続されている。この硬化剤ａ用の定量供給手段１０ａは、主剤Ａ用の定量供給手段１０Ａと同様の構成であるため、説明は省略し、符号についてはＡをａに置き換えたものとする。この硬化剤ａ用の定量供給手段１０ａにも、主剤Ａと同様に、吐出管１４ａ、逆止弁２７ａ、可撓性を有するホース１５ａが接続され、ホース１５ａの下流端が方向制御弁３０ａに接続されている。この硬化剤ａ用の方向制御弁３０ａは、主剤Ａ及び主剤Ｂ用の方向制御弁３０Ａと同様の構成であるため、説明は省略し、符号についてはＡをａに置き換えたものとする。かかる方向制御弁３０ａの流出口は、主剤Ａ及び主剤Ｂ用と共通の上記した混合機２８の流入口に接続されている。
【００２８】
他方の硬化剤ｂ用のタンク１６ｂにも、硬化剤ａと同様、途中にダイヤフラムポンプ１７ｂと圧力制御弁１８ｂとが介設された圧送路１９ｂの上流端が接続され、この圧送路１９ｂの下流端には定量供給手段１０ｂが接続されている。この硬化剤ｂ用の定量供給手段１０ｂは、硬化剤ａ用の定量供給手段１０ａと同様の構成であるため、説明は省略し、符号についてはａをｂに置き換えたものとする。この硬化剤ｂ用の定量供給手段１０ｂにも、硬化剤ａと同様に、吐出管１４ｂ、逆止弁２７ｂ、可撓性を有するホース１５ｂが接続され、ホース１５ｂの下流端が、上記した硬化剤ａ用の方向制御弁３０ａの流入口に接続されている。
【００２９】
上述のように、混合機２８からは主剤Ａ，Ｂ用と硬化剤ａ，ｂ用の２つの方向制御弁３０Ａ，３０ａが分岐した形態で接続され、各方向制御弁３０Ａ，３０ａには、夫々、種類の異なる主剤Ａ，Ｂ又は硬化剤ａ，ｂの供給経路としてのホース１５Ａ，１５Ｂ，１５ａ，１５ｂが分岐した形態で接続されていることになる。また、各方向制御弁３０Ａ，３０ａには、夫々、洗浄液の供給路２２が接続されている。
【００３０】
次に、本実施形態の作用を説明する。主剤Ａと硬化剤ａとを混合して塗装ガン２９に供給する際には、エア圧送源２４から各エアホース２５に加圧エアを圧送することによりダイヤフラムポンプ１７Ａ，１７Ｂ，１７ａ，１７ｂ，２１を駆動させる。また、全ての方向切換弁１１Ａ，１１Ｂ，１１ａ，１１ｂについて、いずれの液剤も流量計１２Ａ，１２Ｂ，１２ａ，１２ｂ側へ流通しないように閉弁状態にしておくとともに、全ての方向制御弁３０Ａ，３０ａについて、いずれの液剤も混合機２８側へ流通しないように閉弁状態にしておく。
【００３１】
この状態で、まず、主剤Ａ用の方向切換弁１１Ａが、主剤Ａ用の圧送路１９Ａと流量計１２Ａとが連通する状態に切り換えられ、所定の流量だけ主剤Ａをホース１５Ａ側へ吐出させる。吐出された主剤Ａは、吐出管１４Ａと逆止弁２７Ａを順に通過してホース１５Ａに流入するが、吐出管１４Ａは剛性が高くて拡径変形することがないので、ホース１５Ａ内への流入量は流量計１２Ａで計測された流量と同量となる。また、逆止弁２７Ａにより、一旦ホース１５Ａ内に流入した主剤Ａが流量計１２Ａ側（吐出管１４Ａ内）に逆流することもない。
【００３２】
また、上記のように主剤Ａが流量計１２Ａからホース１５Ａ内に吐出されている間は、主剤Ａ用の方向制御弁３０Ａが、主剤Ａ用のホース１５Ａと混合機２８とを連通させる状態に切り換えられている。したがって、ホース１５Ａ内に流入した主剤Ａは円滑に混合機２８側へ流通することが可能であり、ホース１５Ａは主剤Ａの圧力によって拡径変形するということがなく、主剤Ａが流量計１２Ａで計測された所定の流量（流量計１２Ａから吐出された流量）だけ方向制御弁３０Ａを通過して混合機２８に供給される。このとき、硬化剤ａ用の方向制御弁３０ａは閉弁状態となっているため、混合機２８内の混合液剤や方向制御弁３０Ａを通過した主剤Ａが硬化剤ａ用の方向制御弁３０ａ内に流入することはない。
【００３３】
上記のようにして所定の流量の主剤Ａが混合機２８に供給されたら、主剤Ａ用の方向切換弁１１Ａが閉弁状態に切り換えられて主剤Ａの流量計１２Ａ側への流通が停止するとともに、主剤Ａ用の方向制御弁３０Ａも閉弁状態となり、ホース１５Ａと混合機２８との間の液剤（主剤Ａ）の流通が阻止される。
【００３４】
次いで、硬化剤ａ用の方向切換弁１１ａが、硬化剤ａ用の圧送路１９ａと流量計１２ａとを連通させる状態に切り換えられ、所定の流量だけ硬化剤ａをホース１５ａ側へ吐出させる。吐出された硬化剤ａは、吐出管１４ａと逆止弁２７ａとを順に通過してホース１５ａに流入するが、吐出管１４ａは剛性が高くて拡径変形することがないので、ホース１５ａ内への流入量は流量計１２ａで計測された流量と同量となる。また、逆止弁２７ａにより、一旦ホース１５ａ内に流入した硬化剤ａが流量計１２ａ側（吐出管１４ａ内）に逆流することもない。
【００３５】
また、硬化剤ａが流量計１２ａからホース１５ａ内に吐出されている間は、硬化剤ａ用の方向制御弁３０ａが、硬化剤ａ用のホース１５ａと混合機２８とを連通させる状態に切り換えられている。したがって、ホース１５ａ内に流入した硬化剤ａは円滑に混合機２８側へ流通することが可能であり、ホース１５ａは硬化剤Ａの圧力によって拡径変形するということがなく、硬化剤ａが流量計１２ａで計測された所定の流量（流量計１２ａから吐出された流量）だけ方向制御弁３０ａを通過して混合機２８に供給される。
【００３６】
上記のようにして所定の流量の硬化剤ａが混合機２８に供給されたら、硬化剤ａ用の方向切換弁１１ａが閉弁状態に切り換えられて硬化剤ａの流量計１２ａへの流通が停止するとともに、硬化剤ａ用の方向制御弁３０ａも閉弁状態となり、ホース１５ａと混合機２８との間の液剤（硬化剤ａ）の流通が阻止される。
【００３７】
上記した主剤Ａを所定流量だけ混合機２８に供給する工程と硬化剤ａを所定流量だけ混合機２８に供給する工程とが交互に繰り返されることにより、混合機２８内においては主剤Ａと硬化剤ａが混合されて塗料となり、その塗料が混合機２８から塗装ガン２９へ供給される。
【００３８】
尚、本実施形態では、主剤Ａと硬化剤ｂとの混合、主剤Ｂと硬化剤ｂとの混合、主剤Ｂと硬化剤ａとの混合も可能であり、混合に際しては上記と同様にして方向切換弁１１Ａ，１１Ｂ，１１ａ，１１ｂと方向制御弁３０Ａ，３０ａが切り換えられる。
【００３９】
また、２種類の主剤Ａ，Ｂの供給経路（ホース１５Ａ，１５Ｂ）が方向制御弁３０Ａで合流し、また２種類の硬化剤ａ，ｂの供給経路（ホース１５ａ，１５ｂ）も方向制御弁３０Ａで合流するようになっている。したがって、主剤Ａ，Ｂ又は硬化剤ａ，ｂの種類を換える際には、方向制御弁３０Ａ，３０ａよりも下流側（塗装ガン２９側）のみを洗浄すれば済む。例えば、主剤Ａ，Ｂの種類を切り換える際には、主剤Ａ，Ｂ用の方向制御弁３０Ａを洗浄液の供給路２２と混合機２８とが連通する状態に切り換え、洗浄液を、方向制御弁３０Ａ、混合機２８、塗装ガン２９内に流通させればよい。尚、方向切換弁１１Ａにも洗浄液の供給路２２が接続されているので、方向切換弁１１Ａ、吐出管１４Ａ、ホース１５Ａ内を洗浄することもできる。
【００４０】
上述のように本実施形態の塗装装置は、主剤Ａ，Ｂと硬化剤ａ，ｂを所定流量ずつ吐出する４つの定量供給手段１０Ａ，１０Ｂ，１０ａ，１０ｂと、４つの定量供給手段１０Ａ，１０Ｂ，１０ａ，１０ｂの吐出口側に接続された可撓性を有する４本のホース１５Ａ，１５Ｂ，１５ａ，１５ｂと、この４本のホース１５Ａ，１５Ｂ，１５ａ，１５ｂを通して２つの定量供給手段１０Ａ，１０Ｂ，１０ａ，１０ｂから交互に圧送される主剤Ａ又はＢと硬化剤ａ又はｂとを混合して塗装ガン２９へ供給する混合機２８とを備えたものであって、ホース１５Ａ，１５Ｂ，１５ａ，１５ｂの下流端と混合機２８との間に、ホース１５Ａ，１５Ｂ，１５ａ，１５ｂ内と混合機２８とを連通させる連通状態と、ホース１５Ａ，１５Ｂ，１５ａ，１５ｂ内と混合機２８との間の連通を遮断する遮断状態との間での任意の切換えを可能とされた切換手段としての方向制御弁３０Ａ，３０ａを設けた構成としている。したがって、所定量の主剤Ａ又はＢをホース１５Ａ又は１５Ｂを通して混合機２８に送り込む際には、方向制御弁３０Ａを連通状態に切り換えて、ホース１５Ａ又は１５Ｂ内と混合機２８との間を主剤Ａ又はＢが円滑に流通できるように連通させておくことにより、主剤Ａ又はＢの吐出圧力によってホース１５Ａ又は１５Ｂが拡径変形することが回避され、混合機２８に送り込まれる主剤Ａ又はＢの流量が定量供給手段１０Ａ又は１０Ｂからの吐出量を下回ることが回避される。同様に、硬化剤ａ，ｂについても、硬化剤ａ又はｂの吐出圧力によってホース１５ａ又は１５ｂが拡径変形することが回避され、混合機２８に送り込まれる硬化剤ａ又はｂの流量が定量供給手段１０ａ又は１０ｂからの吐出量を下回ることが回避される。これにより、主剤Ａ又はＢと硬化剤ａ又はｂとを所定の比率で確実に混合させることができる。尚、所定流量の主剤Ａ，Ｂ又は硬化剤ａ，ｂが混合機２８へ送り込まれた後は、方向制御弁３０Ａ又は３０ａを遮断状態に切り換えることによって、混合機２８からホース１５Ａ，１５Ｂ，１５ａ，１５ｂ側への逆流が防止される。
【００４１】
また、定量供給手段１０Ａ，１０Ｂ，１０ａ，１０ｂの方向切換弁１１Ａ，１１Ｂ，１１ａ，１１ｂの吐出口に接続した吐出管１４Ａ，１４Ｂ，１４ａ，１４ｂの下流端とホース１５Ａ，１５Ｂ，１５ａ，１５ｂの上流端との間には逆止弁２７Ａ，２７Ｂ，２７ａ，２７ｂが設けられているので、一旦ホース１５Ａ，１５Ｂ，１５ａ，１５ｂ内に圧送された主剤Ａ，Ｂや硬化剤ａ，ｂが定量供給手段１０Ａ，１０Ｂ，１０ａ，１０ｂの吐出管１４Ａ，１４ｂ，１４ａ，１４ｂ側へ逆流することが防止される。
【００４２】
また、ホース１５Ａ，１５Ｂ，１５ａ，１５ｂ内と混合機２８とを連通させる連通状態と、ホース１５Ａ，１５Ｂ，１５ａ，１５ｂ内と混合機２８との間の連通を遮断する遮断状態との間での任意の切換えを可能とされた切換手段として、ホース１５Ａ，１５Ｂ，１５ａ，１５ｂに接続される２つの流入口と混合機２８に接続された１つの流出口とを有する方向制御弁３０Ａ，３０ａが用いられ、方向制御弁３０Ａ，３０ａには、夫々、２本ずつのホース１５Ａ，１５Ｂ，１５ａ，１５ｂを接続することが実現されている。これにより、１つの方向制御弁３０Ａ，３０ａによって２つの主剤Ａ，Ｂまたは硬化剤ａ，ｂを混合機２８へ供給することができるようになっている。
【００４３】
しかも、方向制御弁３０Ａ，３０ａの流入口には、洗浄液を供給するための洗浄液供給手段２３としての供給路２２が接続されている。つまり、洗浄対象を、主剤Ａ，Ｂ又は硬化剤ａ，ｂの流通経路の全体ではなく、主剤Ａ，Ｂの流路（ホース１５Ａ，１５Ｂ）と硬化剤ａ，ｂの流路（ホース１５ａ，１５ｂ）が合流する方向制御弁３０Ａ，３０ａの流入口よりも下流側のみとしたので、洗浄に伴なって廃棄される主剤Ａ，Ｂ又は硬化剤ａ，ｂの量、及び洗浄液の量を少なく抑えることができる。
【００４４】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００４５】
（１）切換手段は、１つの流入口と１つの流出口とを備えて開弁状態と閉弁状態との２つの態様の間で切り替わる開閉弁でもよい。尚、上記実施形態のように主剤又は硬化剤が複数種類用いられる場合は、その種類毎（ホース毎）に個別に開閉弁を設ければよい。
【００４６】
（２）混合される液剤の種類は、主剤と硬化剤に限らず、他の種類の液剤としてもよい。
【００４７】
（３）混合される液剤の種類数は２つに限らず、３種類以上の液剤を順次に混合するようにしてもよい。
【００４８】
（４）上記実施形態では主剤と硬化剤が夫々２種類ずつ設けられているが、主剤と硬化剤のうち少なくともいずれか一方が１種類のみ、又は３種類以上であってもよい。
【００４９】
（５）上記実施形態では主剤側の切換手段（方向制御弁）と硬化剤側の切換手段（方向制御弁）とを別々に設けたが、主剤側のホースと硬化剤側のホースを１つの切換手段（方向制御弁）に接続してもよい。
【００５０】
（６）定量供給手段とホースの上流端との間に逆止弁を設けない構成としてもよい。この場合、定量供給手段の吐出口に接続した開閉弁によって、ホース側から定量供給手段側への逆流を防止することもできる。
【図面の簡単な説明】
【００５１】
【図１】本実施形態の塗装装置における液剤の供給経路をあらわす回路図
【符号の説明】
【００５２】
Ａ…主剤（液剤）
Ｂ…主剤（液剤）
ａ…硬化剤（液剤）
ｂ…硬化剤（液剤）
１０Ａ，１０Ｂ，１０ａ，１０ｂ…定量供給手段
１５Ａ，１５Ｂ，１５ａ，１５ｂ…ホース
２３…洗浄液供給手段
２７，２７Ｂ，２７ａ，２７ｂ…逆止弁
２８…混合機
２９…塗装ガン
３０Ａ，３０ａ…方向制御弁（切換手段）
【図１】
2005087947.tif 000003